(57)【要約】      （修正有）【課題】固定部と、当該固定部に連結される屈曲部と、当該屈曲部に連結されるリングフレームと、当該リングフレームを貫通して釣糸を通すガイドリング通路とを含む釣糸ガイドを提供する。【解決手段】リングフレーム３０は固定部１０から遠ざかるように延伸する突出部３１を含み、当該突出部の内面に釣糸案内面３２が設けられ、且つ、当該突出部、当該釣糸案内面はプレス加工により当該リングフレームに一体成形される。【選択図】図１
0003225750.tif 000002
【実用新案登録請求の範囲】
【請求項１】
固定部と、前記固定部に連結される屈曲部と、前記屈曲部に連結されるリングフレームと、前記リングフレームを貫通して釣糸を通すガイドリング通路とを含む釣糸ガイドにおいて、
前記リングフレームは前記固定部から遠ざかるように延伸する突出部を含み、前記突出部の内面に釣糸案内面が設けられ、且つ、前記突出部及び前記釣糸案内面はプレス加工により前記リングフレームに一体成形されることを特徴とする釣糸ガイド。
【請求項２】
前記リングフレームの表面に補強層がめっきされることを特徴とする請求項１に記載の釣糸ガイド。
【考案の詳細な説明】
【技術分野】
【０００１】
本考案は、釣糸ガイドに関し、特に、一体成形される釣糸ガイドに関する。
【背景技術】
【０００２】
釣具のうち、釣糸ガイド（ｆｉｓｈｉｎｇ  ｌｉｎｅ  ｇｕｉｄｅ）は釣糸の角度を制限し、釣糸の位置を決定し支持力を提供するなどの目的で使用され、釣糸が魚によって引きずられる時、穂先竿杆に位置するトップガイド（ｔｏｐ  ｇｕｉｄｅ）は釣糸を受け止める。魚が当たったら、釣糸が引きずられてガイドリングに密着する。この時、釣糸のガイドリングに接触する部分は非常に大きな力を受けるため、ガイドリングの強度及び耐摩耗性を向上させる必要がある。特許文献１は、釣竿本体に対して簡単に装着可能な釣糸ガイドの固定部材を開示している。当該特許に係る釣糸ガイドはフレームを有する。当該フレームは、釣糸が挿通されるガイドリングが取り付けられるリング保持部を有する前方側繊維強化樹脂層と、釣竿の穂先竿杆の先端に保持されて固定されるようにフレームに貫通して形成される保持穴と、前方側繊維強化樹脂層のリング保持部から分岐して釣竿に固定される釣竿固定部が先端に形成されることにより構成される支脚部と、前方側繊維強化樹脂層と後方側繊維強化樹脂層との間に両方に渡って配設される連続した補強片を有する後方側繊維強化樹脂層とから構成される。このような釣糸ガイドは重量が軽くなり、撓み性が向上する効果を有する。
【０００３】
当該特許の明細書には、「開口５ｃ、６ｃに嵌入されるガイドリング９はリング状に構成され、その内周面である釣糸案内面９ａの部分での摺動抵抗が小さい部材、例えば、チタン、アルミ、ＳＵＳ、セラミックスなどによって形成される」という記載がある。案内面９ａの内側縁が円弧面となっており、釣糸が大きな力を受けて大きな角度で傾斜している場合、当該円弧面は釣糸が瞬時に受けている力を軽減することで、釣糸が切れることが防止される。しかしながら、従来の釣糸ガイドは部品を組み合わせて構成されものであり、開口５ｃ、６ｃを成形した上で、ガイドリング９に更なる加工を施して嵌入して形成される。複雑な構造となっているため、製造しにくい。他に、セラミックス部品を釣糸リングに入れて、釣糸リングの内側の円弧構造を補強する構成をとる技術案もあるが、セラミックス材料を釣糸リングのリングフレームに密着するように設ける必要があるところ、セラミックスは脆性材料であるため、セラミックスを入れる時に割れたり破損したりするリスクがあり、さらに、複雑な工程が必要であるため、コストアップを招いてしまう。したがって、釣糸ガイドの内側縁の円弧面を確保するとともにコストダウンを実現することは、本分野で解決すべき課題となっている。
【先行技術文献】
【特許文献】
【０００４】
【特許文献１】台湾特許公開第Ｉ５８３３０５号「釣糸ガイド」明細書
【考案の概要】
【考案が解決しようとする課題】
【０００５】
本考案は、釣糸ガイドの内側縁の円弧面のアセンブリとリングフレームとが互いに分離している２つのアセンブリであり、両者を組み合わせる過程で不良品が生じるという従来技術における問題点を解決することを目的とする。そのために、本考案は釣糸ガイドを一体成形させた簡易な構成をとることで製造時の不良品率を低減し、使用する時破損しにくくコストダウンにもつながる。
【課題を解決するための手段】
【０００６】
本考案は上記の課題を解決するためになされるものであって、固定部と、当該固定部に連結される屈曲部と、当該屈曲部に連結されるリングフレームと、当該リングフレームを貫通して釣糸を通すガイドリング通路とを含む釣糸ガイドを提供する。当該釣糸ガイドは、当該リングフレームは当該固定部から遠ざかるように延伸する突出部を含み、当該突出部の内面に釣糸案内面が設けられ、且つ、当該突出部、当該釣糸案内面はプレス加工の方式により当該リングフレームに一体成形されることを特徴とする。
【０００７】
さらに、当該リングフレームの表面に補強層がめっきされる。
【考案の効果】
【０００８】
本考案は従来技術に比べて以下の有益な効果を有する。本考案の釣糸ガイドは嵌入又は組立工程を行うことなく、内側に突起する縁部が弧状に構成される釣糸案内面を形成できる。なお且つ当該リングフレームと当該釣糸案内面は一体成形されている。プレス加工、延伸、鍛造の方式により製作される部品であるため製造時の工程数が減少しているだけでなく、重量が軽くなり、使用上のニーズに応じてその弧度を変更でき、適用性が向上しているなどの有益な効果を有し、セラミックス部品を密着させるために行う複雑な工程や、割れやすいなど不良品率に直結する要因を回避できる。
【図面の簡単な説明】
【０００９】
【図１】図１は、本考案の釣糸ガイドの第１の実施形態の斜視図である。
【図２】図２は、本考案の釣糸ガイドの第１の実施形態を別の角度から見た斜視図である。
【図３】図３は、釣竿に装着された組合わせ後の本考案の釣糸ガイドを概略的に示す斜視図である。
【図４】図４は、釣竿に装着された組合わせ後の本考案の釣糸ガイドの使用を概略的に示す斜視図である。
【考案を実施するための形態】
【００１０】
次に、本考案の構造の特徴及び操作方法についていくつかの好ましい実施形態を図面での説明を添えて例示し、審査にあたっての参照に供する。ただしこれらの実施形態は本考案の技術内容を説明するためのものに過ぎず、本考案が保護を求める対象の範囲を限定するためのものではない。
【００１１】
次に、図１〜図４を参照して本考案の技術内容を説明する。本考案は釣竿２００と釣糸３００とに合うように設けられる釣糸ガイド１００を提供することを目的とする。図４に示すように、本考案の釣糸ガイド１００は釣竿２００の軸方向に複数設けられてもよく、且つ、釣糸３００が通るように釣糸ガイド１００のそれぞれが整列されるように設けられてもよい。本考案の釣糸ガイド１００は様々な釣竿２００に設けることができ、ここで特に限定されない。
【００１２】
具体的には、釣糸ガイド１００は固定部１０と、固定部１０に連結される屈曲部２０と、屈曲部２０に連結されるリングフレーム３０と、リングフレーム３０を貫通して釣糸３００が通るガイドリング通路４０とを含む。固定部１０は釣竿２００の本体に固定するためのものであり、縛付け又は合決りなどの方式での固定が可能である。本実施例では、釣糸ガイド１００を釣竿２００に縛り付けて固定させた上で接着剤をつけてさらに固定する。また、固定部１０及び屈曲部２０は、釣竿２００に組み付けられるものであれば、固定部１０の形状は筒状、分岐状又は多角状などに限定されず様々な形状とすることができる。
【００１３】
次に、本考案の釣糸ガイド１００の特徴を説明する。リングフレーム３０は固定部１０から遠ざかるように延伸する突出部３１を含み、突出部３１の内面に釣糸案内面３２が設けられる。釣糸３００が引きずられると、釣糸案内面３２で受け止められるため、局所的に過大の摩擦力が生じずに済み、釣糸３００が引きずられて切れることから保護される。本実施例に係る釣糸案内面３２は突出部３１の内面に設けられ、即ち釣糸案内面３２はガイドリング通路４０に適合するように設けられ、しかも釣糸案内面３２の弧度は使用者のニーズに応じて設定され、ここで特に限定されない。リングフレーム３０の表面に補強層がめっきされてもよく（図示せず）、当該補強層は電気めっき、熱処理により発生させたコーティング層、硬化部位などであってもよい。めっきに使用する材料はチタン合金、クロム合金など硬度が高い金属材料であってもよい。本考案で、突出部３１及び釣糸案内面３２はプレス加工機を利用して段階的にプレス加工を行って、リングフレーム３０と突出部３１を一体成形させたものであってもよく、即ちプレス加工機を利用して段階的にプレス加工を行うことにより、リングフレーム３０に対してプレス加工を行って突出部３１を一体成形させることができる。リングフレーム３０と突出部３１は一体成形されているため、製造するにあたってプレス加工工程を行うだけでよく、従来技術のようにフレームを製造してからリングに嵌入させるという複雑なプロセスを避けられ、製品の不良率低減とコストダウンにつながり、生産効率を効果的に向上させることができる。
【００１４】
上記の内容から分かるように、本考案の釣糸ガイド１００は嵌入工程又は組立工程を行うことなく、釣糸案内面３２を一体成形することができる。なお且つリングフレーム３０と釣糸案内面３２は一体成形されている。プレス加工により製作された部品であるため製造時の工程数が減少しているだけでなく、ニーズに応じてその弧度を変更し、適用性を向上させることができ、さらに、製品の不良率低減とコストダウンにつながり、生産効率を効果的に向上させることができる。
【００１５】
上述した内容は好ましい実施形態を用いて本考案を説明しているが、本考案は挙げられている上記の実施形態に限定されない。本考案が開示している趣旨の範囲内でこれらの構造に行う様々な変更や改良を行うことができ、これらの変更や改良も本考案の範囲に含まれている。
【符号の説明】
【００１６】
１００                        釣糸ガイド
１０                          固定部
２０                          屈曲部
３０                          リングフレーム
３１                          突出部
３２                          釣糸案内面
４０                          ガイドリング通路
２００                        釣竿
３００                        釣糸
【図１】
0003225750.tif 000003
【図２】
0003225750.tif 000004
【図３】
0003225750.tif 000005
【図４】
0003225750.tif 000006